(57)【特許請求の範囲】
【請求項１】
周辺機材に対して隙間をあけて横並びに配置された遊技機における不正防止装置であって、
前記遊技機の背面側に前記隙間に出っ張らないように取り付けられた固定板と、
前記固定板に固定され前記遊技機と前記周辺機材との間の縦方向に延びた前記隙間を前記背面側で塞ぐ閉塞部材と、
を備えたことを特徴とする遊技機における不正防止装置。
【請求項２】
前記閉塞部材は隙間調整代を有した複数の丸孔を備え、いずれかの丸孔を貫通した締結具により前記遊技機の背面に前記固定板を介して取り付けられていることを特徴とする請求項１に記載の遊技機における不正防止装置。
【発明の詳細な説明】
【技術分野】
【０００１】
この発明は、パチンコ遊技機等の遊技機に対する不正行為を防止する不正防止技術に関する。
【背景技術】
【０００２】
一般に、遊技場内では、パチンコ機等の遊技機本体と、ＣＲユニットや球貸機等の周辺機材とを設置台上に交互に横並びに複数備えている。パチンコ機等の遊技機には遊技性を向上させるために、遊技盤上に各種の入賞口や表示装置が設けてあり、特にパチンコ機では、始動口と呼ばれる特別な入賞口があって、この始動口には、始動口内に入った遊技球を検出する例えばマイクロスイッチからなるセンサーが設置されており、このセンサーによって始動口への遊技球の入賞が検出されると検出信号を遊技機に内蔵されたマイクロコンピュータに送り、マイクロコンピュータは、この特別な入賞に対応するように遊技盤上の可変表示装置や役物等の制御をおこなっている。
【０００３】
ところで、従来、ピアノ線等の不正器具を用いて上述したセンサーを誤作動させ、あたかも特別な入賞があったかのように故意に可変表示装置や役物等を制御するといった不正行為がおこなわれる場合がある。
この不正行為を防止するため、従来、遊技機のガラス枠を閉じた状態で、ガラス枠の周縁部に生じる隙間に、飾り部材の突出部を嵌合させて、遊技機の内側への不正器具の挿入を防止するものがある（特許文献１参照）。
【先行技術文献】
【特許文献】
【０００４】
【特許文献１】特開平８−２９９５５５号公報
【発明の概要】
【発明が解決しようとする課題】
【０００５】
しかしながら、従来の構成では、遊技場内で、遊技機の外側から、即ち遊技機と、ＣＲユニットや球貸機等の周辺機材との隙間から不正器具を挿入された場合には、不正行為を防止できないという問題があった。
そこで、本発明の目的は、上述した従来の技術が有する課題を解消し、遊技機の外側から不正器具を挿入して行う遊技場内での不正行為を防止できる遊技機における不正防止装置を提供することにある。
【課題を解決するための手段】
【０００６】
本発明は、周辺機材に対して隙間をあけて横並びに配置された遊技機における不正防止装置であって、前記遊技機の背面側に前記隙間に出っ張らないように取り付けられた固定板と、前記固定板に固定され前記遊技機と前記周辺機材との間の縦方向に延びた前記隙間を前記背面側で塞ぐ閉塞部材と、を備えたことを特徴とする。
この発明では、遊技機の外側から、即ち遊技機と周辺機材との間の縦方向に延びた隙間から不正器具を挿入しても、該隙間には閉塞部材を備えるため、遊技機の外側からの不正器具の挿入による不正行為を防止できる。
【０００７】
この場合において、前記閉塞部材は隙間調整代を有した複数の丸孔を備え、いずれかの丸孔を貫通した締結具により前記遊技機の背面に前記固定板を介して取り付けられていてもよい。
この閉塞部材は、いずれかの丸孔を貫通した締結具により遊技機の背面に取り付けられるため、丸孔と締結具の隙間以上の縦、横方向への移動が阻止される。従って、不正器具を挿入して該閉塞部材を無理にこじ開けても、閉塞部材は確実に位置決めされるため、不正器具の挿入が阻止される。
既に設置済みの遊技機では、遊技機の背面に固定板を取り付け、この固定板に閉塞部材を取り付ければよい。
【発明の効果】
【０００８】
本発明では、遊技機と周辺機材との間の縦方向に延びた隙間から不正器具を挿入しようとしても、不正器具が閉塞部材に当たって挿入が阻止されるため、該不正器具の挿入による不正行為を防止できる。
【図面の簡単な説明】
【０００９】
【図１】本発明の実施形態に係るパチンコ機を設置した遊技機島を示す図である。
【図２】パチンコ機の構成をＣＲユニットと共に示す斜視図である。
【図３】パチンコ機が備える外枠の構成を示す図であり、（Ａ）は正面斜視図、（Ｂ）は背面斜視図である。
【図４】パチンコ機の裏面の構成をＣＲユニットと共に模式的に示す図である。
【図５】パチンコ機への不正防止装置の取付構造を示す分解斜視図である。
【図６】不正防止装置の構成を示す図であり、（Ａ）は不正防止装置の正面図、（Ｂ）は上面図、（Ｃ）は側面図、（Ｄ）は（Ｂ）の拡大図、（Ｅ）は丸孔群の拡大図である。
【発明を実施するための形態】
【００１０】
以下、図面を参照して本発明の実施形態について、遊技機の一種であるパチンコ機を例にして説明する。
図１は、本実施形態に係るパチンコ機１を設置した遊技機島１０を示す図である。
遊技機島１０は、遊技場においてパチンコ機１などの複数の遊技機を設置するための設備であり、図１に示すように、略７０ｃｍ高さの位置に略水平に延びる２枚の天板１２を支持し、これら天板１２の上に、複数のパチンコ機１を背中合わせに２列に延びるように併設して成る。なお、遊技機島１０を遊技場の壁際に設置する場合には、壁に沿ってパチンコ機１が１列に併設される。
【００１１】
また遊技機島１０は、各パチンコ機１に遊技球を補給、回収する設備を有する。すなわち遊技機島１０の天井中央には遊技球を貯留する上部タンク１４が設けられ、上部タンク１４からパチンコ機１のそれぞれに遊技球を給配する給配機構（不図示）が、遊技機島１０の上部に設けた欄間１６の内側に設けられている。この欄間１６は開閉自在に構成されており、遊技球の給配不良などのトラブル発生時に欄間１６を開いて対処できるようになっている。欄間１６の下方には幕板２２が設けられ、この幕板２２には、遊技者の操作により点灯／点滅して店員を呼び出す呼出ランプ２４がパチンコ機１と１対１で対応するように設けられている。
【００１２】
また遊技機島１０には、遊技球を入れる玉箱を載せるステージとして用いられる銀板２０が設けられると共に、銀板２０の下部には腰板１８が設けられ、この腰板１８の内側には各パチンコ機１から排出された遊技球を回収する回収桶（不図示）が設けられている。回収桶に回収した遊技球は遊技機島１０に内設された下部タンク（不図示）に流れ込み、研磨装置（不図示）で研磨された後、上部タンク１４に揚送され、該上部タンク１４から各パチンコ機１に補給される。
【００１３】
パチンコ機１は、プリペイド媒体を購入、或いは、プリペイド媒体に現金をチャージし、該プリペイド媒体に記録された残価値を代償として遊技球を借りて遊技する、いわゆるＣＲ機と呼ばれる遊技機であり、各パチンコ機１の左側には、パチンコ機１と１対１で対応するようにプリペイド媒体を読み取るＣＲ（Card Reader）ユニット３０が横並びに配置されている。プリペイド媒体にはＩＣを内蔵した硬貨形状のＩＣコインが用いられている。なお、プリペイド媒体には、ＩＣコインの他にもプリペイドカードやＩＣカード等のカード型の記録媒体を用いることもできる。
【００１４】
遊技機島１０において、パチンコ機１を入れ替える際には、一般に、ＣＲユニット３０を残して入れ替え対象のパチンコ機１だけを遊技機島１０から取り外し、空いたスペースに新しいパチンコ機１を嵌め込んで設置する。
【００１５】
図２は、パチンコ機１の構成をＣＲユニット３０と共に示す斜視図である。
パチンコ機１は、当該パチンコ機１の外殻を形成し、遊技機島１０の天板１２に取り付けられる外枠４０と、この外枠４０に対し、正面からみて左側の上下に設けたヒンジ金具４６を介してヒンジ連結されたパチンコ機本体５０とを備える。
外枠４０は、図３（Ａ）に示すように、木製の矩形板材から成る左右一対の縦板４２及び上下一対の横板４３を全体として縦長の矩形枠状に組み合わせ、これら縦板４２及び横板４３を小ネジ等の締結部材により固定することによって構成されている。パチンコ機本体５０は、外枠４０に、ヒンジ金具４６により開閉自在に支持され、図３（Ｂ）に示すように、外枠４０の前面に重なり合う合成樹脂製の本体枠５２と、この本体枠５２に支持されて外枠４０の内側に入り込む遊技盤５３（図２参照）や各種の裏面部品５５を一体に含む。
【００１６】
図２に示すように、本体枠５２には前面ガラス５４が嵌め込まれた視認窓５６が形成され遊技盤５３の遊技領域を視認可能に成されている。この遊技盤５３には、遊技球が通過する複数の始動口（不図示）や、図柄を可変表示する可変表示ユニット（不図示）が設けられており、始動口を遊技球が通過するごとに当落抽選が行われ、図柄の可変表示により当落結果が遊技者に通知される。
【００１７】
視認窓５６の下側には遊技球の排出口５８及び上皿６０が設けられている。排出口５８からはパチンコ機本体５０から払い出される遊技球が排出され上皿６０に一旦貯留される。上皿６０は、遊技球を一列に整列させながら遊技球発射装置（不図示）側へ導くための球受皿として機能する。パチンコ機本体５０の正面右下側には遊技球発射ハンドル６２が設けられており、該遊技球発射ハンドル６２の操作により遊技球発射装置が作動し、上皿６０の遊技球が遊技盤５３面に発射される。上皿６０の下方には、遊技球が上皿６０に一杯になった場合に該遊技球が払い出される下皿６１が設けられている。
【００１８】
上皿６０の手前側には、球貸ボタン６４、球貸可能ランプ６６、返却ボタン６８、及び度数表示部７０が設けられている。球貸ボタン６４は遊技球の貸し出し操作のためのボタンであり、球貸可能ランプ６６は球貸ボタン６４が操作可能な状態であることを表示するランプであり、返却ボタン６８はＣＲユニット３０からプリペイドコインを排出させるためのボタンであり、度数表示部７０はプリペイドコインの残価値を度数表示する。球貸ボタン６４が操作されると、パチンコ機本体５０からＣＲユニット３０に対して球貸要求が送信され、プリペイドコインに残価値が存在する限りにおいて、ＣＲユニット３０からパチンコ機本体５０に球貸許可指令が送信され、該パチンコ機本体５０から貸出球が上皿６０に払い出される。
【００１９】
またパチンコ機本体５０の下部には、スピーカ７１や灰皿７３が設けられ、また、上皿６０の手前側に、可変表示ユニットで行われる当落抽選の結果表示演出を切り替える演出切替ボタン７４が設けられ、パチンコ機本体５０の上部には、その左右に各種ランプ７２が設けられている。
【００２０】
ＣＲユニット３０は、図２に示すように、縦長の直方体型の筐体として構成され、その前面には、ＣＲユニット３０の機器状態が警告状態にあるか否かを点灯色の切換えによって表す状態表示ランプ３１、高額紙幣（例えば、「一万円」、「五千円」や「二千円」などの紙幣）を含む各種紙幣を挿入するための紙幣挿入口３２、プリペイドコインの残価値の度数表示や貸出金額を表示する表示部３５、会員カードの暗証番号などを入力するテンキー３７、コイン投入口３３、会員カードを挿入する会員カード挿入口３６、及びコイン排出口３４が設けられている。
【００２１】
ＣＲユニット３０は、紙幣挿入口３２から紙幣が挿入されると、紙幣の額面に応じた価値情報が記録したプリペイドコインを発行する。このプリペイドコインはパチンコ機本体５０の返却ボタン６８の操作に応じてコイン排出口３４から排出される。また、このプリペイドコインがコイン投入口３３に投入されると、ＣＲユニット３０はプリペイドコインの残価値を読み取りパチンコ機１の度数表示部７０に残価値に応じた度数を表示させる。
【００２２】
図４は、パチンコ機１の裏面部品５５の構成をＣＲユニット３０と共に模式的に示す図である。
同図に示すように、パチンコ機本体５０の裏面には、略中央部に、遊技球の始動口通過を契機に当落抽選を行う１チップマイコンを搭載したメイン基板８０が配置されている。
パチンコ機本体５０の左下には、遊技球を遊技盤面に発射する発射モータ８２が配置され、この発射モータ８２とメイン基板８０の間には、遊技球発射ハンドル６２の操作に応じて発射モータ８２を作動させる電子回路を搭載した発射制御基板８４が配置されている。また、メイン基板８０の下側であって、発射制御基板８４の右側には、各基板に電力を供給する電源基板８６が配置され、この電源基板８６の上には、賞球や貸し球の払い出しを制御する払出制御基板８８が設けられている。これらメイン基板８０、発射制御基板８４、電源基板８６及び払出制御基板８８は、併せて主基板とも呼称される。
【００２３】
メイン基板８０の上側には、遊技盤５３の可変表示ユニットの表示を制御する映像基板９０と、音声の出力制御を行う音声基板９２とが横並びに配置されている。これら映像基板９０及び音声基板９２は、併せてサブ基板とも呼称される。
【００２４】
パチンコ機本体５０の右上には盤用外部端子板９４が配置されている。盤用外部端子板９４には、遊技場側の管理制御装置（いわゆる、ホールコンピュータ）に対して遊技（遊技盤５３の状態）に関する信号を出力するための出力端子（不図示）が設けられている。係る出力端子には、例えば、可変表示ユニットの図柄の変動が停止（確定）するごとに信号を出力する端子（回転数出力用端子）や、大当たり時に信号を出力する端子（大当たり出力用端子）、大当たり中又は可変表示ユニットの図柄変動時間短縮中（いわゆる時短遊技中）に信号出力する端子（特別遊技状態出力用端子）などが含まれる。
【００２５】
パチンコ機本体５０の左最上には上方に開口したタンク９６が設けられており、このタンク９６には、遊技機島１０から給配される遊技球が逐次補給される。タンク９６の下方には右側に向かって延び下流側に向けて緩やかに傾斜するタンクレール９８が連結され、タンクレール９８の下流側には上下方向に延びるケースレール９９が連結されている。このケースレール９９の最下流部には払出装置１００が設けられている。払出装置１００は、遊技球を払い出すための払出モータ１０２と、払い出される遊技球数をカウントするための払出カウンタ１０４とを備え、払出制御基板８８の制御により払出モータ１０２を駆動しつつ払出カウンタ１０４で遊技球の払い出し個数をカウントし、必要個数の遊技球の払い出しを適宜に行う。
【００２６】
払出装置１００の下方であって払出制御基板８８の右側には、ＣＲユニット接続基板１０６が配置されている。ＣＲユニット接続基板１０６には、接続ケーブル１０８を着脱自在に接続するＣＲコネクタ１１０が設けられ、この接続ケーブル１０８を介してＣＲユニット３０と電気的に接続されている。さらにＣＲユニット接続基板１０６は、パチンコ機本体５０の球貸ボタン６４、球貸可能ランプ６６、返却ボタン６８、及び度数表示部７０とも電気的に接続されている。これにより、ＣＲユニット接続基板１０６は、ＣＲユニット３０からプリペイドコインの残価値を取得して度数表示部７０に表示し、また、球貸ボタン６４の操作に伴い球貸要求をＣＲユニット３０に送信し、この応答としてＣＲユニット３０から球貸許可指令を受け取ると、払出制御基板８８に所定個数の貸し球を払い出すための指示を送信する。
【００２７】
上述の各種の基板や装置のうち、パチンコ機１の裏面において右端側には、図４に示すように、払出装置１００及びＣＲユニット接続基板１０６が上下に配置されている。この右端側には、このパチンコ機１と対を成すＣＲユニット３０が配置されているが、パチンコ機１とＣＲユニット３０との間には縦方向に延びた僅かな隙間δが生じている。この隙間δは、通常、パチンコ機１の遊技方法を記した備え付けの遊技説明書を挟み込んで収納するスペース等に有効に利用されている。
【００２８】
ところで、この隙間δの近傍には、遊技球の払出しや貸し出しに関わる装置である払出装置１００、及びＣＲユニット接続基板１０６が配置されているため、この隙間δからピアノ線や針金、セル板などの不正器具を挿入し、払出装置１００の払出カウンタ１０４のカウント値を狂わせたり、ＣＲユニット接続基板１０６のＣＲコネクタ１１０に球貸し動作を誘起する電気信号を流し込んだりして、これら払出装置１００やＣＲユニット接続基板１０６を誤動作させ、遊技球を不正に獲得するという行為が行われる虞がある。
【００２９】
また一般に、払出装置１００を対象とした不正行為として、パチンコ機１の正面側から不正な電波を飛ばして払出カウンタ１０４のカウント値を狂わせる行為が知られており、この不正行為に対しては、不正な電波を検知する不正電波検知装置を払出装置１００の近傍に配置して不正行為を検知するという対策が講じられている。
ところが、隙間δから不正器具を挿入すると払出装置１００の直近まで不正器具が到達することから、該不正器具から不正電波検知装置で検知できない程の微弱な電波を飛ばしただけで払出装置１００が誤動作してしまう虞があり、この場合には、不正行為を検知することができない。
【００３０】
本実施形態のパチンコ機１には、図４に示すように、隙間δから不正器具を挿入しての不正行為を防止するための不正防止装置１２０が背面側に設けられている。
図５はパチンコ機１への不正防止装置１２０の取付構造を示す分解斜視図であり、図６（Ａ）は不正防止装置１２０の正面図、図６（Ｂ）は上面図、図６（Ｃ）は側面図、図６（Ｄ）は図６（Ｂ）の拡大図、図６（Ｅ）は丸孔群の拡大図である。
不正防止装置１２０は、パチンコ機１の背面側に取り付けられてパチンコ機１とＣＲユニット３０との間の縦方向に延びた隙間δを塞ぐ装置であり、図５に示すように、防犯ベース１２２と、防犯板１２４とを備える。
【００３１】
防犯ベース１２２は、防犯板１２４をパチンコ機１に固定するための固定板であり、外枠４０を裏側からみた右側の縦板４２に沿って延びた板状に形成されている。この防犯ベース１２２には、縦方向に一定の間隔で複数のネジ孔１２６及びネジ軸１３２が設けられており、防犯ベース１２２は各ネジ孔１２６に通した固定用ネジ１２８で縦板４２に強固に固定される。この防犯ベース１２２は、図６（Ｄ）に示すように、断面Ｌ字状に折り曲げられて位置決め片１２２Ａが形成されており、この位置決め片１２２Ａを、縦板４２の内側面４２Ａに密接させて防犯ベース１２２を取り付けることで、防犯ベース１２２を縦板４２の延在方向に沿って正確に固定できる。また防犯ベース１２２は、縦板４２の外側面４２Ｂ（隙間δに臨む面）まで出張らないように成されており、隙間δから挿入した器物で取り外され難くなっている。
【００３２】
防犯板１２４は、隙間δを塞ぐ閉塞部材であり、図５に示すように、剛性の高い例えば鋼材を縦板４２の最上部から最下部まで延びる長さの板状に形成して成る。この防犯板１２４には、縦方向に一定の間隔で、多数の丸孔１３０Ａ（図６（Ｅ）参照。）を有した丸孔群１３０が形成されている。本実施形態では、防犯板１２４の丸孔群１３０のうち、任意の一つの丸孔１３０Ａに、防犯ベース１２２のネジ軸１３２を貫通させ、貫通したネジ軸１３２に蝶ナット１３４を締結することで、該防犯板１２４が防犯ベース１２２に固定される。防犯板１２４の締結部材に蝶ナット１３４を用いることで、手作業で締め付けや取り外しが簡単にできる。
【００３３】
防犯ベース１２２に防犯板１２４を固定する際には、図６（Ｄ）に示すように、防犯板１２４の縁部１２４ＡがＣＲユニット３０の隙間δ側の側面３０Ａに当接するように、各丸孔群１３０から選択した一つの丸孔１３０Ａに防犯ベース１２２の各ネジ軸１３２を貫通させて位置決めし、蝶ナット１３４で締めて固定する。これにより、パチンコ機１とＣＲユニット３０との間に縦方向に延びた隙間δの奥（パチンコ機１の背面側）が防犯板１２４によって閉塞される。
【００３４】
このとき防犯板１２４の丸孔１３０Ａに防犯ベース１２２のネジ軸１３２を貫通させて固定する構造としているので、丸孔１３０Ａとネジ軸１３２の遊び以上の縦、横方向への防犯板１２４の移動が確実に阻止される。したがって、不正器具を挿入して該防犯板１２４とＣＲユニット３０の間の隙間δを無理にこじ開けようとしても、防犯板１２４が確実に位置決めされ、不正器具の挿入が阻止される。
特に、丸孔１３０Ａとネジ軸１３２の遊びを規定する、これら丸孔１３０Ａとネジ軸１３２の設計公差を、隙間δから挿入され得る不正器具の細さや厚み以下とすることで、不正器具の挿入を確実に阻止することができる。また、防犯板１２４は導電性を有し、隙間δに挿入される不正器具に対して防犯板１２４がアースとして機能する。これにより、防犯板１２４によって、ピアノ線や針金等の不正器具を通じてパチンコ機１に流し込まれる電気信号が遮断され、また、該不正器具から発せられる電波が弱められるため、不正行為の阻止効果を高めることができる。
【００３５】
ここで、防犯板１２４の丸孔群１３０は、図６（Ｅ）に示すように、丸孔１３０Ａを縦方向及び横方向（パチンコ機１の左右方向）に多行多列（図示例では５行２列）に設けて成る。このように複数の丸孔１３０Ａで丸孔群１３０が構成されることで、防犯ベース１２２への取付位置を、パチンコ機１の横方向に及び縦方向に、それぞれ丸孔１３０Ａの間隔α、βで隙間δに合せて防犯板１２４の取付位置を調整できる。
【００３６】
また、丸孔１３０Ａの列方向Ｍは、防犯板１２４の縦方向に対して傾斜しており、列方向Ｍを縦方向に沿って配置したときに比べて横方向の隙間調整代γが拡張されている。また、同一列の複数の丸孔１３０Ａが、各列の配置間隔αの範囲内に複数含まれるように列方向Ｍが傾斜しており、これにより横方向への調整を丸孔１３０Ａの列間隔αよりも細かくでき、隙間δに合せて、これを隙無く塞ぐことができる。
【００３７】
また、設置時に隙間δを塞ぐように防犯板１２４を調整しても、設置後に外枠４０に対してパチンコ機本体５０を開閉させたときの衝撃や、外枠４０を遊技機島１０に残したままパチンコ機本体５０のみを入れ替えた際の衝撃などにより、隙間δが変化する場合がある。このような場合であっても、隙間δの変化に合せて該隙間δを塞ぐように防犯板１２４の取付位置を調整できる。この調整は、図３（Ａ）に示すように、外枠４０に対してパチンコ機本体５０を開き、外枠４０の裏側に設けた防犯板１２４の締結を解くことで行われるが、この締結に蝶ナット１３４が用いられているため、手作業で簡単に締結を解いて調整することができる。
【００３８】
防犯板１２４により奥側（パチンコ機１の背面側）で塞がれた隙間δの前側（パチンコ機１の正面側）に、例えばポリウレタン等の弾力性を有する弾性部材（不図示）を縦方向に隙無く設けてもよい。このように隙間δの前側に弾性部材を設けると、視覚的にも該隙間δに不正器具を挿入する等の不正行為の抑止力となり、また、隙間δを埋める部材を弾性部材とすることで、この隙間δを、備え付けの遊技説明書を挟み込むスペースとして利用することもできる。さらに、仮に弾性部材を貫通して不正器具を挿入しても、隙間δの奥に防犯板１２４が位置するため、不正器具の挿入が阻止される。
【００３９】
以上説明した実施形態によれば、次のような効果を奏する。
すなわち、本実施形態では、パチンコ機１の背面側に取り付けられてパチンコ機１とＣＲユニット３０との間の縦方向に延びた隙間δを塞ぐ防犯板１２４を備えた不正防止装置１２０を該パチンコ機１に設ける構成とした。この構成により、隙間δから不正器具を挿入しても、この隙間δの奥には防犯板１２４を備えるため、不正器具を挿入しての不正行為を防止することができる。
特に、本実施形態の不正防止装置１２０によれば、隙間δから挿入した不正器具で、パチンコ機１の裏面においてＣＲユニット３０の側に配置された払出装置１００及びＣＲユニット接続基板１０６といった遊技球の払い出し、或いは、貸し出しに関する装置を誤動作させる、という不正行為を効果的に防止することができる。
【００４０】
また本実施形態では、防犯板１２４に設けた丸孔１３０Ａに、防犯ベース１２２に設けたネジ軸１３２を貫通させて固定する構造とした。この構造によれば、丸孔１３０Ａとネジ軸１３２の遊び以上の縦、横方向への防犯板１２４の移動が阻止される。したがって、不正器具を挿入して該防犯板１２４とＣＲユニット３０の間の隙間δを無理にこじ開けようとしても、防犯板１２４が確実に位置決めされるため、不正器具の挿入が阻止されることとなる。
これに加え、防犯ベース１２２をパチンコ機１の外枠４０に固定するだけで、遊技機島１０に既に設置されているパチンコ機のそれぞれに、不正防止装置１２０を簡単に取り付けることができる。
【００４１】
また本実施形態では、防犯板１２４には、隙間調整代γを有する複数の丸孔１３０Ａを設けて丸孔群１３０を構成し、いずれかの丸孔１３０Ａに、防犯ベース１２２のネジ軸１３２を貫通させて固定する構造とした。
この構造によれば、隙間δの形状に合せて調整しながら防犯板１２４を防犯ベース１２２に固定することができる。
【００４２】
また防犯板１２４により奥側で塞がれた隙間δの前側に弾性部材（不図示）を備える構成とすれば、視覚的にも該隙間δに不正器具を挿入する等の不正行為の抑止力となり、また、隙間δを埋める部材を弾性部材とすることで、この隙間δを、備え付けの遊技説明書を挟み込むスペースとして利用することもできる。さらに、仮に弾性部材を貫通して不正器具を挿入しても、隙間δの奥に防犯板１２４が位置するため、不正器具の挿入を阻止できる。
【００４３】
なお、上述した実施形態は、あくまでも本発明の一態様を示すものであり、本発明の趣旨の範囲内で任意に変形及び応用が可能である。
【００４４】
上述した実施形態では、パチンコ機１を正面からみた左側の隙間δを不正防止装置１２０で閉塞した。しかしながら、これに限らず、パチンコ機１の右側に配置されたＣＲユニット３０との間の隙間から不正器具を挿入して、該パチンコ機１を不正に動作され得る場合には、右側の隙間を閉塞するように不正防止装置１２０を設けてもよい。また、パチンコ機１の左右両方に不正防止装置１２０を設けて、該パチンコ機１の左右両側の隙間を閉塞してもよい。
【００４５】
上述した実施形態では、不正防止装置１２０の防犯板１２４が、パチンコ機１の最上部から最下部まで延びて隙間δを塞ぐ構成とした。しかしながら、これに限らず、防犯板１２４は、少なくとも、隙間δから挿入した不正器具により不正行為が可能な範囲を塞ぐ構成であればよい。
【００４６】
上述した実施形態では、不正防止装置１２０の防犯板１２４に、隙間調整代γを有する多数の丸孔１３０Ａを備えて丸孔群１３０を構成した。しかしながら、これに限らず、丸孔群１３０のそれぞれを、パチンコ機１の横方向に延びる１つの長孔に形成して無段階に調整可能としてもよい。このとき長孔は、パチンコ機１の真横に水平に延びる構成に限らず、斜め方向に傾斜してもよい。
【００４７】
上述した実施形態では、パチンコ機１に横並びに配置される周辺機材としてＣＲユニット３０を説明したが、これに限らず、玉貸機などの他の機材もあり得る。遊技機島１０の両端に設置されたパチンコ機１において、パチンコ機１の横に、遊技機島１０の端部が位置する場合には、該端部が周辺機材に相当することになる。
【００４８】
上述した実施形態では、不正防止装置１２０が、パチンコ機１の外枠４０に防犯板１２４を固定するための防犯ベース１２２を備える構成とした。しかしながら、パチンコ機１の製造時に不正防止装置１２０を取り付ける場合には、該パチンコ機１の外枠４０にネジ軸１３２を設け、防犯板１２４を外枠４０に直接取り付ける構成としてもよい。
【００４９】
上述した実施形態では、遊技機の一例としてパチンコ機１を例示したが、これに限らない。すなわち、遊技機と周辺機材との隙間から挿入した不正器具を用いて、遊技機の裏面部の部品が誤動作され得る遊技機であれば、アレンジボール遊技機やじやん球遊技機などの任意の種類の遊技機に本発明を適用できる。
【符号の説明】
【００５０】
１  パチンコ機
１０  遊技機島
３０  ＣＲユニット（周辺機材）
４０  外枠
４２  縦板
５０  パチンコ機本体
８０  メイン基板
９４  盤用外部端子板
１００  払出装置
１０６  ＣＲユニット接続基板
１０８  接続ケーブル
１２０  不正防止装置
１２２  防犯ベース
１２２Ａ  位置決め片
１２４  防犯板（閉塞部材）
１２６  ネジ孔
１２８  固定用ネジ
１３０  丸孔群
１３０Ａ  丸孔
１３２  ネジ軸（締結部材）
１３４  蝶ナット
【図１】
0005498117.tif 000002
【図２】
0005498117.tif 000003
【図３】
0005498117.tif 000004
【図４】
0005498117.tif 000005
【図５】
0005498117.tif 000006
【図６】
0005498117.tif 000007